Podtech/llm-jp-corpus-v4-ja_patent huggingface dataset:
(57)【要約】      （修正有）【課題】木槌の頭部が重くなり、多数回の打撃が不要となり、作業性を向上することができ、軽く叩くことが可能となり、使用の利便性を向上することができ、被加工物の表面のキズ付きを防ぐことができ、木槌の固有の特性を得ることができ、使用の快適性を向上することができる木槌を提供する。【解決手段】木製の頭部２の左右方向の中間部分に木製の杆状の柄部３を直交状に貫通固定してなり、頭部の左右端部に埋込穴部４を形成し、各埋込穴部に金属製の芯材をそれぞれ埋設すると共に各埋込穴部に芯材を隠蔽する木製の叩部材６をそれぞれ挿着してなる。【選択図】図１
0003212054.tif 000002
【実用新案登録請求の範囲】
【請求項１】
木製の頭部の左右方向の中間部分に木製の杆状の柄部を直交状に貫通固定してなり、上記頭部の左右端部に埋込穴部を形成し、該各埋込穴部に金属製の芯材をそれぞれ埋設すると共に該各埋込穴部に該芯材を隠蔽する木製の叩部材をそれぞれ挿着してなることを特徴とする木槌。
【請求項２】
上記埋込穴部は円形穴状に形成され、上記芯材及び叩部材は円柱状に形成されていることを特徴とする請求項１記載の木槌。
【考案の詳細な説明】
【技術分野】
【０００１】
本考案は、例えば、木工用に使用される木槌に関するものである。
【背景技術】
【０００２】
従来、この種の木槌として、木製の頭部の左右方向の中間部分に木製の杆状の柄部を直交状に貫通固定してなる構造のものが知られている。
【先行技術文献】
【特許文献】
【０００３】
【特許文献１】実用新案登録第３１１９６７４号
【考案の概要】
【考案が解決しようとする課題】
【０００４】
しかしながら上記従来構造の場合、上記頭部及び柄部はいずれも木製であって、木槌の全体の重量が比較的軽量であり、軽量であるということは持ち運びに便利であるなど、全体が金属の金槌に比べ大きな利点ではあるが、軽量であるが故に打撃力が小さく、一回の打撃では不十分なことがあったり、数回の打撃が必要となったり、強く叩く必要があったりし、作業性が低下することがあり、使用の利便性及び快適性を低下させることがあるという不都合を有している。
【課題を解決するための手段】
【０００５】
本考案はこれらの不都合を解決することを目的とするもので、本考案のうち、請求項１記載の考案は、木製の頭部の左右方向の中間部分に木製の杆状の柄部を直交状に貫通固定してなり、上記頭部の左右端部に埋込穴部を形成し、該各埋込穴部に金属製の芯材をそれぞれ埋設すると共に該各埋込穴部に該芯材を隠蔽する木製の叩部材をそれぞれ挿着してなることを特徴とする木槌にある。
【０００６】
又、請求項２記載の考案は、上記埋込穴部は円形穴状に形成され、上記芯材及び叩部材は円柱状に形成されていることを特徴とするものである。
【考案の効果】
【０００７】
本考案は上述の如く、請求項１記載の考案にあっては、木製の頭部の左右方向の中間部分に木製の杆状の柄部を直交状に貫通固定し、頭部の左右端部に埋込穴部を形成し、各埋込穴部に金属製の芯材をそれぞれ埋設すると共に各埋込穴部に芯材を隠蔽する木製の叩部材をそれぞれ挿着してなるから、上記金属製の芯材により木槌の頭部が重くなり、打撃力が大きくなり、このため、一回の打撃で十分な打撃力を得ることができ、多数回の打撃が不要となり、作業性を向上することができ、かつ、強く叩く必要もなく、軽く叩くことが可能となり、使用の利便性を向上することができ、さらに、木製の叩部材により被加工物の表面のキズ付きを防ぐことができ、木槌の固有の特性を得ることができ、使用の快適性を向上することができる。
【０００８】
又、請求項２記載の考案にあっては、上記埋込穴部は円形穴状に形成され、上記芯材及び叩部材は円柱状に形成されているから、埋込穴部及び叩部材を容易に製作することができると共に構造を簡素化することができる。
【図面の簡単な説明】
【０００９】
【図１】本考案の実施の形態例の全体斜視図である。
【図２】本考案の実施の形態例の全体分解斜視図である。
【図３】本考案の実施の形態例の断面図である。
【考案を実施するための形態】
【００１０】
図１乃至図３は本考案の実施の形態例を示し、１は木槌であって、木製の頭部２及び木製の柄部３からなり、この場合、頭部２の左右方向の中間部分に杆状の柄部３を直交状に圧入により貫通固定されている。なお、上記頭部２の形状は円柱状に限らず、四角形柱などの多角形柱のものも採用される。
【００１１】
４・４は埋込穴部であって、図２の如く、上記頭部２の左右端部にそれぞれ形成され、各埋込穴部４・４に金属製の芯材５・５をそれぞれ埋設すると共に各埋込穴部４・４に芯材５・５を隠蔽する木製の叩部材６・６がそれぞれ挿着され、叩部材６・６の叩面６ａ・６ａは頭部２の叩面２ａ・２ａと面一に形成されている。
【００１２】
この場合、図３の如く、上記埋込穴部４・４は深さＨの円形穴状に形成され、上記芯材５・５及び叩部材６・６は円柱状に形成されている。
【００１３】
また、上記芯材５・５の材質として鉄などが用いられ、さらに、芯材５・５の材質の比重の大小及び大きさの変更により芯材５・５の重量を適宜変更することにより各種の用途に応じて頭部２の打撃力を変更することができる。
【００１４】
また、この場合、上記頭部２及び柄部３の材質として、樫の木が用いられ、その他の比較的硬質の木材を採用することもある。
【００１５】
この実施の形態例は上記構成であるから、木製の頭部２の左右方向の中間部分に木製の杆状の柄部３を直交状に貫通固定し、頭部２の左右端部に埋込穴部４・４を形成し、各埋込穴部４・４に金属製の芯材５・５をそれぞれ埋設すると共に各埋込穴部４・４に芯材５・５を隠蔽する木製の叩部材６・６をそれぞれ挿着してなるから、上記金属製の芯材５・５により木槌１の頭部２が重くなり、打撃力が大きくなり、このため、一回の打撃で十分な打撃力を得ることができ、多数回の打撃が不要となり、作業性を向上することができ、かつ、強く叩く必要もなく、軽く叩くことが可能となり、使用の利便性を向上することができ、さらに、木製の叩部材６・６により被加工物の表面のキズ付きを防ぐことができ、木槌１の固有の特性を得ることができ、使用の快適性を向上することができる。
【００１６】
又、この場合、上記埋込穴部４・４は円形穴状に形成され、上記芯材５・５及び叩部材６・６は円柱状に形成されているから、埋込穴部４・４及び叩部材６・６を容易に製作することができると共に構造を簡素化することができる。
【００１７】
尚、本考案は上記実施の形態例に限られるものではなく、例えば、頭部２及び柄部３の材質や、埋込穴部４・４、芯材５・５及び叩部材６・６の形状や大きさは適宜変更して設計されるものである。
【００１８】
以上、所期の目的を充分達成することができる。
【符号の説明】
【００１９】
１    木槌
２    頭部
３    柄部
４    埋込穴部
５    芯材
６    叩部材
【図１】
0003212054.tif 000003
【図２】
0003212054.tif 000004
【図３】
0003212054.tif 000005
(57)【要約】      （修正有）【課題】テニスコートにおいてネット張りの際にネットの高低を計測出来るタオルを提供する。【解決手段】タオル本体１にネットの高さを実寸のスケール状の目安をプリントまたは刺繍したもので、ネットの高さを測ることが出来る。実寸スケールの起点３をネット上方のワイヤーに合わせて掛けて垂直に垂らす。実寸スケールの終点２を地面と接する様にネットの高低を調節する。【選択図】図１
0003212094.tif 000002
【実用新案登録請求の範囲】
【請求項１】
テニスの公式ルール上におけるテニスネットの高さの実寸をプリントまたは刺繍して示し、テニスネットの高低を測るスケールとして利用できることを特徴とするタオル。
【考案の詳細な説明】
【技術分野】
【０００１】  本考案は、タオルにテニスコートのルールにおけるネットの高さの実寸をデザインすることによって、ネットの高さ０．９１４ｍを測ることの出来るタオルに関するものである。
【背景技術】
【０００２】  テニスコートのネットは、コート使用の度に取り外すか緩めるケースが多く、毎回コート使用前にネットの高さ０．９１４ｍを測りながらネットを張ることになる。テニスネットはルール上、中央部分をベルトで調節することにより、ネットポールより１５．６センチ低く張る必要がある。しかし、高さを測る目安のスケールが常設していないケースが多く、不確定なネットの高さのままプレーをすることが現状である。
【先行技術文献】
【非特許文献】
【０００３】
【非特許文献１】「ダンロップスポーツ株式会社  ネットメジャー  製品コードｄｕｎｌｏｐ−ｔａｃ９１４」
【考案の概要】
【考案が解決しようとする課題】
【０００４】  テニスネットの高さはルール上決められているにも拘わらず、実際はコートによってまちまちである。プレー前に測る場合、各個人で予め腰の辺りを目安にして認知し、それを基準にするか、手持ちのラケットをスケール代わりに利用することによって測ることが一般的である。正確に測るためのスケールを常設してあるテニスコートが少ないのが現状であり、持ち歩くにも不便である。
【課題を解決するための手段】
【０００５】  本考案では、通常タオルはテニスをする時の携帯品の１つであることを考慮した。タオルのデザインにネットの高さ０．９１４ｍを実寸のスケール状の目安をプリントまたは刺繍したもので、タオル本来の目的である汗の吸収の機能と併せて、ネットの高さを測ることが出来れば、通常の携帯品のタオルでネットの高さを測ることが可能になり課題は解決される。
【考案の効果】
【０００６】  上述の様にテニスコートのネットの高低を測れるタオルは、テニスネットを測るスケールを特別に用意する必要もなく、通常の携帯品のタオルでネットの高さを簡単に測ることが出来る。
【図面の簡単な説明】
【０００７】
【図１】本考案のテニス用コートのネットの高低を測れるタオルの実施例の正面図である。
【考案を実施するための形態】
【０００８】  本考案タオル本体にプリントまたは刺繍されたネットの実寸スケールの起点をネット上方のワイヤーに合わせて掛けて垂直に垂らす。実寸スケールの終点を地面と接する様にネットの高低を調節する。
１はタオル本体、２は実寸スケールの終点、３は実寸スケールの起点、４はネットの高さ０．９１４ｍを表したプリントまたは刺繍である。
【符号の説明】
【０００９】  １  タオル本体
２  タオルの底辺
３  ネットの高さを示す線
４  ルール上のネットの高さを表す数値０．９１４ｍとデザイン
【図１】
0003212094.tif 000003
(57)【要約】      （修正有）【課題】カ−テンを束ねた大きさに関係なく自由な長さにきちんと束ねる事が出来、個々のカ−テン専用のタッセルが不要でかつカ−テンを使用していないときにタッセルの落下を防止するタッセル巻取り収納器具を提供する。【解決手段】筒状のタッセル収納器本体１上部の巻きばねケ−ス２の中に巻きばね３を取り付けてあり、本体１の中にタッセル巻取り軸４があり、巻きばね３はタッセル巻取り軸４を常時タッセル巻取り方向に張力が作用するように取り付けられている。カ−テンを束ねるときは、タッセルを自由長さに引き出して、本体横のフックに引っ掛けておく。本体内のタッセル端部はタッセル巻取り軸４に固定されている為、タッセルを全長引き出しても、離脱することが無いようにしている。【選択図】図３
0003212098.tif 000002
【実用新案登録請求の範囲】
【請求項１】
筒状の本体の中に、巻きばねの張力を利用して本体内にタッセルを巻き取るため巻きばねを内蔵し、タッセルを巻き取って収納することができるタッセル巻取り収納器具。
【考案の詳細な説明】
【技術分野】
【０００１】  本考案はカーテンタッセルを自由な長さに引き出して、カ−テンを束ねるとともに不使用時はタッセルを収納できることにしたものである。
【背景技術】
【０００２】  カ−テンを開けたときに、タッセルにてカ−テンを束ねておくが、この時タッセルがフックから外れて落下したり、カ−テンを閉じたときに使用していないタッセルが垂れ下がっていた。また、カ−テンのサイズに合わせた専用のタッセルを用意する必要があった。
【考案の概要】
【考案が解決しようとする課題】
【０００３】  カ−テンの幅によって、タッセルの長さが決まる為、個々のカ−テン専用のタッセルを用意する必要があったことは不合理であり、タッセルの長さを自由に調節することができるようにする。
【課題を解決するための手段】
【０００４】  従来の一般的なタッセルは、両端部に引っかけのリングが付属しており、窓の柱に取り付けられたフックに引っかけるようになっているが、タッセルの一方を筒状のタッセル収納本体の内部に固定し、内部の巻きばねの張力により、不使用時はタッセルを巻きっとっておくものとし、使用時はタッセルを引き出して、カ−テンを束ねることができるようにする。
【図面の簡単な説明】
【０００５】
【図１】  本考案のカ−テンタッセル巻取り収納器具の使用状態を示すものである。
【図２】  側面及び正面図を示す。
【図３】  内部構造及び断面を示す。
【図４】  タッセルを引き出してカ−テンを束ねた状態を示す。
【符号の説明】
【０００６】  １    本体
２    巻きばねケ−ス
３    巻きばね
４    巻取り軸
【図１】
0003212098.tif 000003
【図２】
0003212098.tif 000004
【図３】
0003212098.tif 000005
【図４】
0003212098.tif 000006
(57)【要約】      （修正有）【課題】いろいろな魚を釣ることにおいて重量がある錘をシャクリあげることで、水深が深いところ流れが速いところでのシャクリ釣が出来る自動シャクリ釣具を提供する。【解決手段】自動シャクリ釣具のロットベアリングを取り付けてある六角穴付ボルト４の部分を手動シャクリのパイプ５から出た板２で、押し上げることで、モーターの動力と手動シャクリのスプリングの動力と合わせて重力のある錘を押し上げることが出来る。【選択図】図１
0003212093.tif 000002
【実用新案登録請求の範囲】
【請求項１】
魚を釣る自動シャクリ釣具においてモーターで、動く自動シャクリ釣具のロットベアリングを取り付けてある六角穴付ボルトの部分をスプリングで、押し上げる手動シャクリのパイプから出た板で、押し上げることを特徴とした自動シャクリ釣具。
【考案の詳細な説明】
【技術分野】
【０００１】本考案は自動シャクリ釣具がシャクリ上げるときにモーターの、動力を手動シャクリからでた板で、ロットベアリングの取り付け六角穴付ボルト部分を押し上げることで、モーターの動力を補助し下がるときにおいて重量ある錘とモーターの動力で下がる自動シャクリ釣具。
【背景技術】
【０００２】従来の自動シャクリ釣具はモーターの動力だけだった。これには次のような弱点があった。モーターだけの動力では重量がある錘はシャクリ上げることができないので、効果が悪かった。
【考案の概要】
【考案が解決しようとする課題】
【０００３】重量がある錘をシャクリ上げる自動シャクリ釣具を提供する。
【課題を解決するための手段】
【０００４】モーターの動力に手動シャクリから出た板で、ロットベアリングの取り付け六角穴付ボルト部分をスプリングの動力と合して押し上げることで、課題を解決する。
【考案の効果】
【０００５】モーターの動力では重量がある錘はシャクリ上げることが不可能で、あったが手動シャクリから出た板で、ロットベアリングの取り付け六角穴付ボルト部分をスプリングの動力と合して押し上げることで、重量がある錘をシャクリ上げるのが可能で、いろいろな魚を釣るのに対応できる。
【考案を実施するための形態】
【０００６】以下本考案の形態を示す図面に基ずき説明する。
【図面の簡単な説明】
【０００７】
【図１】は自動シャクリ釣具のロットベアリングの取り付けボルト部分を手動シャクリから出た板で押し上げる自動シャクリ釣具の正面図。
【図２】は手動シャクリのパイプの一部断面図。
【図３】は自動シャクリ釣具のロットベアリングの取り付け六角穴付ボルトの部分を押し上げる斜視図。
【図４】は手動シャクリのパイプの縦割りから押し上げの板が出た斜視図。
【符号の説明】
【０００８】１  パイプの中をスライドする丸棒
２  ロットベアリングの取り付け六角穴ボルト部分を押し上げる板
３  スプリング
４  ロットベアリングの取り付けボルト
５  パイプ
６  スプリングのストッパー
７  モーターのシャフトに取り付けたギヤー
８  モーター
９  ロットベアリング
１０  モーターのシャフト
１１  パイプの縦割り
【図１】
0003212093.tif 000003
【図２】
0003212093.tif 000004
【図３】
0003212093.tif 000005
【図４】
0003212093.tif 000006
(57)【要約】      （修正有）【課題】自転車のハンドル部分に装着して、手足や荷物が雨に濡れることを防ぐ自転車用雨除けエプロンを提供する。【解決手段】庇状の本体１を自転車のハンドル部分を覆うように被せ、本体両側にある伸縮性のベルト２をハンドルの下側にまわし、先端の面ファスナー３で固定する事により、手足が濡れるのを防ぐ。また荷物が雨に濡れるのを防ぐ前籠カバー４が本体中央のネット状ポケット５に収納されており、必要な時に取り出し装着できる。ネット状ポケット上部にはそれを隠すためのカバー６が取り付けてあり、カバー両側下部の面ファスナー７で開閉する。尚、使用後はコンパクトに折り畳め、前籠カバーを含む雨に濡れた前面を内側に折り畳むことで持ち運ぶ際、衣服が濡れ難い。又、折り畳む際には本体裏面上部中央の止めベルト８に施した面ファスナー９と、本体裏面の中央下部の面ファスナー１０とで留める。【選択図】図３
0003212080.tif 000002
【実用新案登録請求の範囲】
【請求項１】
主に自転車のハンドル部分に取り付け、手足が雨に濡れることを防ぐとともに、前籠用カバー部分で荷物が雨に濡れることを防止し、着脱が簡単なうえ、畳んで持ち運び可能な構造を特徴とする自転車用雨除けエプロン。
【請求項２】
前記自転車用雨除けエプロンの前籠カバー部分は、荷物が多い場合を考慮し、二段階にゴムを付ける事で調節可能であることを特徴としたもの。
【請求項３】
前記自転車用雨除けエプロンの前籠カバー部分は、必要な時に本体から取り出すことができ、又、前籠カバー収納部分は通気性を考慮し、表面がネット素材であることを特徴としたもの。
【考案の詳細な説明】
【技術分野】
【０００１】  本考案は、自転車に装着して、手足や荷物が雨に濡れるのを防ぐ、着脱可能、且つ折り畳んで持ち運び可能な自転車用カバーに関するものである。
【背景技術】
【０００２】  荷物が雨に濡れるのを防ぐ自転車の籠カバーや、人が着用するレインコート、レインスーツ、ポンチョ、又、人と荷物両方の雨濡れを防ぐ物には、ポンチョの前面の丈が長いもので前籠を覆うものがある。
【考案の概要】
【考案が解決しようとする課題】
【０００３】  レインコートやポンチョでは手足が濡れてしまい、レインスーツはズボンの着脱が面倒なうえ服装に依っては不向きであり、通勤や買い物には敬遠される。又、前籠まで覆うことができるポンチョもあるが、自転車を降りて行動する際、前面の裾が長いため、躓く恐れがある。
【課題を解決するための手段】
【０００４】本考案は、自転車のハンドルに庇状の本体を装着することにより、手足が雨に濡れることを防ぐとともに、前籠カバーにて荷物の濡れを防ぐことができる為、一般的な雨着でも手足が濡れ難く服装を選ばない。
全体にやや厚めの芯を入れ表面を撥水ナイロン製の布で包んだ本体の両側に、あらゆるサイズのハンドルに合わせられるよう、ゴムで伸縮性を持たせたベルトを付け、その両端にマジックテープを施し着脱を簡単にした。
又、前籠カバー部分は、本体中央にある通気性に富んだネット状のポケットに収納でき、使用後は前籠カバーを含む濡れた面を内側にして折り畳める為、持ち運ぶ際に衣服等が濡れ難い。以上のことにより、上記課題を解決するものである。
【考案の効果】
【０００５】  上記の様に、本考案の自転車用雨除けエプロンは、自転車に容易に着脱可能な構造となっている。自転車用雨除けエプロン装着時は足元が濡れにくいため雨着のズボンも履く必要がなく雨の日の服装を選ばない。また使用後は、濡れた面を内側に折り畳める為、持ち運ぶ際に衣服等が濡れ難く、実用性に優れたものである。
【図面の簡単な説明】
【０００６】
【図１】本考案の自転車用雨除けエプロンの実施例を示す正面図である。
【図２】本考案の自転車用雨除けエプロンの実施例を示す背面図である。
【図３】本考案の自転車用雨除けエプロンの全体図である。
【図４】本考案の断面図及び折り畳んだ状態の図である。
【考案を実施するための形態】
【０００７】本体１を自転車のハンドル部分を覆うように被せ、本体両側にある伸縮性のベルト２をハンドルの下側にまわし、先端のマジックテープ３で固定する事により、手足が濡れるのを防ぐ。また荷物が雨に濡れるのを防ぐ前籠カバー４が本体中央のネット状ポケット５に収納されており、必要な時に取り出し装着できる。ネット状ポケット上部にはそれを隠すためのカバー６が取り付けてあり、カバー両側下部のマジックテープ７で開閉する。尚、使用後はコンパクトに折り畳め、前籠カバーを含む雨に濡れた前面を内側に折り畳むことで持ち運ぶ際、衣服が濡れ難い。又、折り畳む際には本体裏面上部中央の止めベルト８に施したマジックテープ９、本体裏面の中央下部のマジックテープ１０にて双方で止める。
なお、折り畳んだ際の止めベルトは本体装着時には、マジックテープ１１を本体のベルト２先端３の裏側にも設け、双方で止める事により、庇部分の補助ベルトとして形状を保つ。
又、前籠カバーを収納するポケットは、表面をネット素材にしており、雨水が中に溜まりにくく、通気性が良い。
【符号の説明】
【０００８】  １  本体
２  装着ベルト
３  ベルトを固定する為のマジックテープ
４  前籠カバー
５  ネット状ポケット
６  ネット状ポケットカバー
７  ネット状ポケットカバーの開閉用マジックテープ
８  折り畳む際の止めベルト
９  止めベルト先端のマジックテープ
１０  折り畳む際に使用するマジックテープ
１１  庇部分の補助ベルトを止める為のマジックテープ
【図１】
0003212080.tif 000003
【図２】
0003212080.tif 000004
【図３】
0003212080.tif 000005
【図４】
0003212080.tif 000006
【手続補正書】
【提出日】平成29年6月12日(2017.6.12)
【手続補正１】
【補正対象書類名】実用新案登録請求の範囲
【補正対象項目名】全文
【補正方法】変更
【補正の内容】
【実用新案登録請求の範囲】
【請求項１】
庇状の本体を自転車のハンドル部分に取り付け、手足が雨に濡れることを防ぐとともに、本体中央に収納された前籠用カバー部分で荷物が雨に濡れることを防止し、着脱が簡単なうえ、畳んで持ち運び可能な構造を特徴とする自転車用雨除けエプロン。
【請求項２】
前記自転車用雨除けエプロンの前籠用カバー部分は、荷物が多い場合を考慮し、二段階にゴムを付ける事で調節可能であることを特徴とした請求項１に記載の自転車用雨除けエプロン。
【請求項３】
前記自転車用雨除けエプロンの前籠用カバー部分は、必要な時に本体から取り出すことができ、又、前籠用カバー収納部分は通気性を考慮し、表面がネット素材であることを特徴とした請求項１または２に記載の自転車用雨除けエプロン。
(57)【要約】      （修正有）【課題】外出用と内履き用の両方に履ける構造に安易に変化できるスリッパ及び履物を提供する。【解決手段】スリッパＡの靴底に取り外し可能なアウトソールＢを取り付け、インソールを中敷きに敷く。スリッパの踵の部分が折りたためる、伸縮性、柔軟性を持つヒールカウンターを備え、スリッパには、アウトソールを固定するためのヒールカウンターに取り外し可能なボタンを備えたプルストラップを取り付けて、足の着脱を容易にする。【選択図】図２
0003212078.tif 000002
【実用新案登録請求の範囲】
【請求項１】
スリッパの靴底に取り外し可能なアウトソールを取り付け、インソールを中敷きに敷くスリッパ及び履物。
【請求項２】
スリッパの踵の部分が折りたためる、伸縮性、柔軟性を持つヒールカウンターを備えた請求項１に記載のスリッパ及び履物。
【請求項３】
スリッパにはアウトソール装着時に固定するためヒールカウンターに取り外し可能ボタンを備えたプルストラップ及びプルストラップを取り付けた請求項１のスリッパ及び履物。
【請求項４】
前記記載のアウトソールには、踵部分にスリッパの装着時に固定するための穴が特徴とする請求項１に記載のスリッパ及び履物。
【請求項５】
スリッパの底面には、内履き用としての消耗を防ぐソールを取り付けた請求項１に記載のスリッパ及び履物。
【考案の詳細な説明】
【技術分野】
【０００１】本考案は、取り外し可能なアウトソールとインソールを備えたスリッパ及び履物に関する。
【背景技術】
【０００２】従来のスリッパは内履き用として用いられている。
【考案の概要】
【考案が解決しようとする課題】
【０００３】しかしながら、外出する際に履き替えなければいけない欠点があり、内履きしか使えないという不便利さがあった。
【課題を解決するための手段】
【０００４】本考案は、以上のような従来の欠点に鑑み、スリッパの底面全体にゴム性の取り外し可能なアウトソールとスリッパの中に取り外し可能なインソールにより上記課題を解決するものである。
【考案の効果】
【０００５】  上記目的を達成するために、本考案は、取り外し可能なアウトソールにより様々なデザインやカラーによりファッション性にも長けており、使用者の趣に合わせたスリッパ及び履物ができる。【０００６】取り外せる事でスリッパの洗浄および、外出用、内履き用、と様々な利便性を生むことができる。【０００７】取り外し可能なインソールを敷くことで、洗浄および交換ができる利便性が生まれる。
【図面の簡単な説明】
【０００８】
【図１】図１は、本考案の一実施例の使用状態概略図である。
【図２】図２は、本考案の一実施例の使用状態分解図である。
【図３】図３は、本考案の一実施例の使用状態背面図である。
【図４】図４は、本考案のスリッパＡの構成図である。
【考案を実施するための形態】
【０００９】図１は、本考案の取り外し可能なアウトソールとインソールを備えたスリッパ及び履物の一実施例の使用状態概略図で、図２は一実施例の使用状態分解図である。
図２に示す通り、取り外し可能アウトソールＢと底部が軟性のゴム底で構成されたスリッパＡを結合し、スリッパ内部には、取り外し可能インソール８を設置し、外履き用の取り外し可能アウトソールＢに合わせ、外履き用履物及び単独でのスリッパとなる。
【００１０】図３に示すのは、本考案の一実施例の使用状態背面図である。踵の後位置には、柔軟性に富んだ材質でできた折りたたみ可能なヒールカウンター３を設置し、脱げ防止や靴擦れを防ぐ役割を果たす。着脱ボタン４と５を備えたつまみ革や布テープ合成繊維のプルストラップ６により、取り外し可のアウトソールＢとスリッパＡを固定する役割を示す形態となる。
【００１１】図４は、図２のスリッパＡの構成図であり、アッパー部２、ヒールカウンター３、接合ボタン凸部４と接合ボタン凹部からなるプルストラップ６、スリッパＡのインソール７、スリッパＡの取り外し可能なインソール８、スリッパＡの外部の軟性のゴム底９の部分が縫合又は接着により組み合わさった形態が内履き用となり、図２記載の取り外し可能なアウトソールＢと結合すると、本考案の示す図１の取り外し可能なアウトソールとインソールを備えたスリッパ及び履物となる。
【符号の説明】
【００１２】  Ａ  スリッパ
Ｂ  取り外し可能アウトソール
１  接合ボタン用開口部
２  アッパー部
３  ヒールカウンター
４  接合ボタン凸部
５  接合ボタン凹部
６  プルストラップ
７  スリッパＡのインソール
８  スリッパＡの取り外し可能なインソール
９  スリッパＡの外部の軟性のゴム底
【図１】
0003212078.tif 000003
【図２】
0003212078.tif 000004
【図３】
0003212078.tif 000005
【図４】
0003212078.tif 000006
(57)【要約】      （修正有）【課題】木枠などに適切に、強固に取り付け出来るクリップで、クリップの取り付け部が外れ難いダブルクリップを提供する。【解決手段】ダブルクリップの挟み口１の二枚の金属板を繋ぐ部分の金属板２の一部位を延ばして挟み口１の左右の幅位の長さの１本の短い棒の両端に取り付け部３を作る。また、挟み口１の内面にゴムなどをライニング６またはコーティングして摩擦力を高める。【選択図】図１
0003212079.tif 000002
【実用新案登録請求の範囲】
【請求項１】
ダブルクリップの挟み口の二枚の金属板を繋ぐ部分の金属板の一部位を延ばし、短い棒（クリップの挟み口の左右の幅位の長さの棒）の両端の取り付け部を作った、一つのクリップに短い一本の棒を取り付けることが出来る、短い棒の両端の取り付け部付きダブルクリップ、または形状が類似なクリップ。
【請求項２】
挟み口の内面に摩擦力を高めるゴムなどをライニングまたはコーティングした、請求項１に記載の短い棒の両端の取り付け部付きダブルクリップまたは形状が類似なクリップ。
【考案の詳細な説明】
【技術分野】
【０００１】考案は短い棒（クリップの挟み口の左右の幅位の長さの棒、以下同）の両端を取り付けることが出来る短い棒の両端の取り付け部付きダブルクリックに関する考案で、例えば食卓の天板の下の木枠の下端に二つ取り付け、断面が円形の短い棒の両端の取り付け部に一本の短い棒を取り付け、その棒に棒状物付きクリップを取り付け、棒状物にナプキンなどを取り付けると、こぼれた食べ物を受け止め衣服と床の汚れの両方を防ぐことが出来る、そのような用い方をする、木枠などに短い棒を取り付けるための用具に関する考案である。
【背景技術】
【０００２】クリップの用い方には物品の取り付け、物品の連結の用い方がある。クリップ付き物品もある。
【考案の概要】
【考案が解決しようとする課題】
【０００３】木枠などへの取り付けで釘、木ネジを用いず木枠などを傷つけず誰もが躊躇なく簡単に素早く取り付け、取外し出来、且つ短い一本の棒を取り付け出来る棒の両端の取り付け部のあるクリップを作る。一つのクリップを用いて木枠などに短い一本の棒を取り付けること。クリップの取り付け部が滑って外れないようにする。
【課題を解決するための手段】
【０００４】ダブルクリップは形状の一部に短い棒の両端を取り付けるものを作りやすい形状で、挟み口の形状が木枠などの下端を的確に挟むことが出来る形状になっている。またバネの力が非常に強く、バネの力が非常に強くてもレバーで挟み口を容易に開閉できる。ダブルクリップの挟み口の二枚の金属板を繋ぐ部分の金属板の一部位を延ばし短い棒の両端の取り付け部付きダブルクリップを作る、または形状が類似なクリップを作る。ダブルクリップの挟み口の内面が滑って外れないように、内面に摩擦力を高めるゴムなどをライニングまたはコーティングする。棒の取り付けはタオル掛棒のような棒で短い棒を取り付けることも出来るが、ボルトを蝶番の心棒のようにして取り付けることも出来る。この場合ナットの締め付け加減を調節して心棒に蝶番式で取り付けた物品の回転の摩擦力を変えることが出来る。
【考案の効果】
【０００５】食卓の木枠などに断面が円形の短い一本の棒を取り付けることでは、木枠を傷つけず取り付け出来るため躊躇なく取り付け出来、着脱式だから必要な時のみの取り付けとすることが出来る。取り付け場所を変えることも出来る。断面が円形の棒の場合、棒の両端の取り付けであることを活かして棒の取り付けを蝶番式での取付けとすると使用目的、用途が飛躍的に拡大する。
【図面の簡単な説明】
【０００６】
【図１】ダブルクリップの挟み口の二枚の金属板を繋ぐ部分の金属板の一部位を延ばして断面が円形の短い棒の両端の取り付け部を作った、短い棒の両端の取り付け部付きダブルクリップで、食卓の天板の下の木枠の下端に取り付けた図で、木枠を木枠に直角な平面で切り離した所に取り付けて見た図で、挟み口の内面をゴムラインイングした場合で、取り付け後レバーを取り外したものの図である。
【図２】ダブルクリップの挟み口の二枚の金属板を繋ぐ部分の金属板の一部位を延ばして断面が円形の短い棒の両端の取り付け部を作った、短い棒の両端の取り付け部付きダブルクリップに一本の短い棒を取り付けたもので、食卓の天板の下の木枠の下端に取り付けて横から見た図で、取り付け後レバーを取り外したものの図である。
【符号の説明】
【０００７】  １  挟み口
２  挟み口の二枚の金属板を繋ぐ部分の金属板
３  断面が円形の短い棒の両端の取り付け部の一方
４  当て金
５  二枚の金属板の間が開かぬよう止め付ける止め付けネジ
６  ゴムライニング
７  短い棒の両端の取り付け部に取り付けた短い棒
８  食卓の天板
９  木枠
【図１】
0003212079.tif 000003
【図２】
0003212079.tif 000004
【手続補正書】
【提出日】平成29年6月1日(2017.6.1)
【手続補正１】
【補正対象書類名】実用新案登録請求の範囲
【補正対象項目名】全文
【補正方法】変更
【補正の内容】
【実用新案登録請求の範囲】
【請求項１】
ダブルクリップの挟み口の二枚の金属板を繋ぐ部分の金属板の一部位を延ばし、短い棒の両端の取り付け部を作った、一つのダブルクリップに短い一本の棒を取り付けることが出来る、短い棒の両端の取り付け部付きダブルクリップ。
【請求項２】
挟み口の内面に摩擦力を高めるゴムなどをライニングまたはコーティングした、請求項１に記載の短い棒の両端の取り付け部付きダブルクリップ。
(57)【要約】      （修正有）【課題】使用可能上限金額と使用時期が可視化できるお金カレンダーセットを提供する。【解決手段】カレンダーに透明なポケットを設け、日毎の使用可能な金銭をポケット５に挿入することで使用可能上限金額と使用時期が可視化できる。【選択図】図２
0003212013.tif 000002
【実用新案登録請求の範囲】
【請求項１】
縦方向及び横方向の罫線からなる表で左から１列目及び５列目に日付が記載され、各日付の右隣に左から順に「１００」、「５０」、「１０」の金額が記載されたことを特徴とする小遣いカレンダーと、
本体シートの上から順に「月シート挿入ポケット」、「曜日記載欄」、６段７列に並んだ「日シート挿入ポケット」を有し、各ポケットは透明であり、「月シート挿入ポケット」には「月シート」が挿入され、「日シート挿入ポケット」には、「日シート」が挿入されていることを特徴とするお金カレンダーと
からなるお金カレンダーセット。
【請求項２】
縦方向及び横方向の罫線からなる表で左から１列目及び５列目に日付が記載され、各日付の右隣に左から順に「１００」、「５０」、「１０」の金額が記載されたことを特徴とする小遣いカレンダー。
【請求項３】
本体シートの上から順に「月シート挿入ポケット」、「曜日記載欄」、６段７列に並んだ「日シート挿入ポケット」を有し、各ポケットは透明であり、「月シート挿入ポケット」には「月シート」が挿入され、「日シート挿入ポケット」には、「日シート」が挿入されていることを特徴とするお金カレンダー。
【考案の詳細な説明】
【技術分野】
【０００１】
本考案は、日毎に使用可能な金銭が容易に視認できるカレンダーに関するものである。
【背景技術】
【０００２】
従来、月毎に使用可能な金銭を可視化するために、用途別に袋分けにするものは存在するが、この態様では上限金額は可視化できるものの使用時期の可視化ができず、計画的な金銭使用ができないという問題点がある。
【考案の概要】
【考案が解決しようとする課題】
【０００３】
本考案の解決しようとする課題は、使用可能上限金額と使用時期が可視化できることである。
【課題を解決するための手段】
【０００４】
本考案は、カレンダーに透明なポケットを設け、日毎の使用可能な金銭をポケットに挿入することで使用可能上限金額と使用時期が可視化できる。
【考案の効果】
【０００５】
本考案は、日毎の使用可能な金銭と使用時期を可視化することで、計画的に金銭を使用できるという効果がある。また実施した労働の記録をポケットに挿入することで労働と賃金の関係を可視化できる。
【図面の簡単な説明】
【０００６】
【図１】第１考案及び第２考案の小遣いカレンダーの正面図である。
【図２】第１考案及び第３考案のお金カレンダーの正面図である。
【考案を実施するための形態】
【実施例】
【０００７】
第１考案は、金銭の使用を計画するためのカレンダーである。以下、使用方法等について説明する。
【０００８】
日付記載欄１には、ひと月の日付が記載されており、左から１列目には１〜１６の数字が、２列目には１７〜３１の数字が記載されている。月シート挿入ポケット２には、当月の月シート３が挿入されている。実施例は１月のものである。日シート挿入ポケット５には、当月のカレンダーに合わせて１〜３１の日シート６を１枚ずつ挿入する。
【０００９】
次に使用方法について説明する。まず、ひと月の使用上限金額を１００円硬貨又は５０円硬貨又は１０円硬貨に両替し、使用計画に基づいて小遣いカレンダーの日付の右隣に記載された金額欄に対応する硬貨を置く。計画を立てながら硬貨を置くことで使用計画のチェックも可能となる。次に小遣いカレンダーに置かれた硬貨を、対応する日付の日シート挿入ポケット５に挿入する。使用当日は日シート挿入ポケットに入っている金額を取り出し使用する。また日シート挿入ポケット５には、家事などの実施した労働の記録を挿入することも可能である。
【００１０】
第２考案は、第１考案のお金カレンダーセットの一部である小遣いカレンダーである。
【００１１】
第３考案は、第１考案のお金カレンダーセットの一部であるお金カレンダーである。
【符号の説明】
【００１２】
１    日付記載欄
２    月シート挿入ポケット
３    月シート
４    曜日記載欄
５    日シート挿入ポケット
６    日シート
【図１】
0003212013.tif 000003
【図２】
0003212013.tif 000004
(57)【要約】      （修正有）【課題】ボイド（紙製の円柱用コンクリート型枠材）を簡易に、かつ、迅速に取り外すことができるボイド抜き工具を提供する。【解決手段】ボイド抜き工具を、先端を斜めに切った尖鋭部４を持ち、尖鋭部を向かい合わせに、かつ接することなく固定された２本の棒状体１と、２本の棒状体の間に固定されたスペーサーと、棒状体の尖鋭部と反対側に接続された回動用持ち手２とから構成した。また、スペーサーを回動用持ち手と２本の棒状体をつなぐ部位に設置し、２本の棒状体の間の間隙が、先端部からスペーサー部にかけて順次広くなるように構成した。【選択図】図１
0003212270.tif 000002
【実用新案登録請求の範囲】
【請求項１】
先端を斜めに切った尖鋭部を持ち、前期尖鋭部を向かい合わせに、かつ接することなく固定された2本の棒状体と、前期2本の棒状体の間に固定されたスペーサーと、前期棒状体の尖鋭部と反対側に接続された回動用持ち手とからなるボイド抜き工具。
【請求項２】
スペーサーが回動用持ち手と2本の棒状体をつなぐ部位に設置され、前記2本の棒状体の間の間隙が、先端部からスペーサー部にかけて順次広くなるように構成された請求項１のボイド抜き工具。
【考案の詳細な説明】
【技術分野】
【０００１】
本考案は、ボイド（紙製の円柱用コンクリート型枠材）を簡易かつ迅速に巻き取り、硬化したコンクリートから取り除くための工具に関するものである。
【背景技術】
【０００２】
従来、この種の工具は、例えば、実用新案文献１に開示されている如く、２つ折りにした丸鋼鉄筋をハンマー等でボイドとコンクリートとの間に打ち込んで隙間を広げ、鉄筋の折り畳み部分にさらに丸鉄筋の棒を差し込んで回す方式が主流であった。
【先行技術文献】
【特許文献】
【０００３】
【特許文献１】実開平06-062106号公報
【非特許文献】
【０００４】
【非特許文献１】なし
【考案の概要】
【考案が解決しようとする課題】
【０００５】
しかしながら、引き抜くべきボイドは、紙製であることが多く、強度が弱い上、コンクリートに強く密着しており、かつ、雨や湿気、コンクリートの水分等を吸って扱いにくくなっている。このようなボイドをコンクリート硬化後に外すために、種々の道具が使用されているが、ハンマー等を使用してくさびを打ち込む必要があったり、カッターの刃を変えつつ切り出すなど、手間と時間がかかっていた。
本考案は、このような問題点に鑑みてなされたもので、簡易かつ迅速に、また安全にボイドを抜くことができる工具を提供することを目的とする。
【課題を解決するための手段】
【０００６】
本考案の請求項１にかかるボイド抜き工具は、先端を斜めに切った尖鋭部を持ち、前期尖鋭部を向かい合わせに、かつ接することなく固定された2本の棒状体と、前期2本の棒状体の間に固定されたスペーサーと、前期棒状体の尖鋭部と反対側に接続された回動用持ち手とからなることを特徴とする。
本考案の請求項２にかかるボイド抜き工具は、請求項１において、前記スペーサーが回動用持ち手と2本の棒状体をつなぐ部位に設置され、前記2本の棒状体の間の間隙が、先端部からスペーサー部にかけて順次広くなるように構成したことを特徴とする。
【考案の効果】
【０００７】
本考案のボイド抜き工具を試作し、使用したところ、簡易に、かつ、きわめて迅速に取り外せるようになった。また、カッター等を使用しないため安全性も向上した。また、屋内外を問わず、コンクリート中に、管や手すりなどを通すための円形の空隙を作成するために広く応用できると考えられる。
【図面の簡単な説明】
【０００８】
【図１】図２は本考案の実施例１を示す側溝用ブロックの側面図である。
【図２】図２は本考案の実施例１を示す側溝用ブロックの側面図である。
【考案を実施するための形態】
【０００９】
本考案のボイド抜き工具は、上記構成とすることにより、ボイドを簡易に、かつ、迅速に取り外すことができ、作業の時間の短縮と安全性の向上を図ることができるものである。
【実施例】
【００１０】
棒状体は、丸鋼鉄筋（１６ミリ）で構成し、回動用持ち手と棒状体およびスペーサーとの接着は、ガス溶接にて行った。ボイドの厚みなどにより最適な間隔はことなるが、実施例では2本の棒状部の間隙は、３〜１２ｍｍ程度で、作成しした。
図中の400、38、≒3、≒12、≒300、はそれぞれ、実施例として製造した寸法をｍｍ単位で示している。権利範囲はこれに限定されるわけではないが、実施例では、2本の棒状体の間隙は、先端部付近の一番狭いところが3ｍｍ±2ｍｍ、スペーサー付近の一番広いところが12mm±5mmの範囲内で作成した。300〜350ｍｍ程度、200〜400ｍｍ程度が操作上好ましいと考えられた。なお、棒状体には、SUS304材φ16丸棒を、 回動用持ち手には、SUS304材φ38パイプを、 スペーサーには、SUS304材φ12丸棒を使用した。
【産業上の利用可能性】
【００１１】
本考案のボイド抜き工具を試作し、使用したところ、簡易に、かつ、きわめて迅速に取り外せるようになった。また、カッターを等使用しないため安全性も向上した。また、屋内外を問わず、コンクリート中に、管や手すりなどを通すための円形の空隙を作成するために広く応用できると考えられる。
【符号の説明】
【００１２】
１  棒状体
２  回動用持ち手
３  スペーサー
４  尖鋭部
【図１】
0003212270.tif 000003
【図２】
0003212270.tif 000004
(57)【要約】【課題】素材感も良く慶事に適しており、かつプリンタ印字に最適な中紙を備えた目録袋及びのし袋を提供すること。【解決手段】目録袋又はのし袋と、当該目録又はのし袋に封入される中紙からなり、前記中紙が、パルプを機械で漉いた和紙であって、疎水性基と親水性基を持ち疎水性基を外側に向けて紙に疎水性をもたせた耐水性向上剤により耐水性が向上されており、連量が５０〜７０ｋｇのプリンタ対応の印刷用紙であることからなる。【選択図】図２
0003212205.tif 000002
【実用新案登録請求の範囲】
【請求項１】
目録袋又はのし袋と、当該目録又はのし袋に封入される中紙からなり、
前記中紙が、
パルプを機械で漉いた和紙であって、
疎水性基と親水性基を持ち疎水性基を外側に向けて紙に疎水性をもたせた耐水性向上剤により耐水性が向上されており、連量が５０〜７０ｋｇのプリンタ対応の印刷用紙であることを特徴とする目録又はのし袋。
【請求項２】
前記中紙の連量が６０ｋｇであることを特徴とする請求項１の目録又はのし袋。
【考案の詳細な説明】
【技術分野】
【０００１】
本考案は、目録袋又はのし袋に関する。特に中紙が収納される目録又は祝儀袋に関する。
【背景技術】
【０００２】
目録とは、出品・所蔵などの品目を、一覧できるように整理して書き並べたもので、授賞式や贈呈式などにて多く使用される。この目録を書き並べる目録紙を中紙として、封入して使用される目録袋又はのし袋が市販されている。
【０００３】
目録には様々な用途があり、物の所有や所在を明確にする目的で品名や内容、数量を記したもの、物の授受にあたって作為される品目一覧に相当するもの、授賞式や贈呈式における贈答品目などを記したものなどが存在する。したがって、作成される内容も量も多種多様となる。
【０００４】
目録袋及びのし袋は、目録が封入される袋であり、一般的には水引及び／又は熨斗を有する。熨斗は、進物や贈答品に添える飾りである。色紙を折って上が広く細長い六角形にし、細く切ったのしあわびをその中に貼り付けたのが正式であるが、より簡略化したものや、袋の表面に印刷された形式のものが多用されている。
【０００５】
水引は、本来は贈答品を結ぶ飾り紐であり、良質の和紙を縦に細長く切って紙縒をつくり、米のとぎ汁や糊(のり)を薄めた液に浸(つ)けて固め、紅、白、金、銀など用途に応じて種々の色に染めたものであるが、熨斗と同様、簡略化したものや、袋の表面に印刷された形式のものが多用されている。
【０００６】
中紙には、正式には直接毛筆にて墨筆書きすることが好ましいが、非常に手間がかかる上、書き直しが生じることも多い。さらに記載情報が大量になる場合もあり、作成に問題が生じる場合も多い。そこで、近年の印刷機の高度化やコピー機などのＯＡ機器の普及に伴い、プリンタ印字可能な中紙を備えた目録袋も販売されている。
【０００７】
上述の通り、目録袋やのし袋は慶事に使われることが多いことから、中紙には和紙のような品位のある紙が好ましい。しかしながら、和紙を使用した場合、プリンターの印字時に十分な品質が得られない場合がある。
【考案の概要】
【考案が解決しようとする課題】
【０００８】
そこで、本考案者らは、慶事に適しており、またプリンタ印字に最適な中紙を備えた目録袋及びのし袋を提供することを目的とする。
【課題を解決するための手段】
【０００９】
前記課題を解決するため、本考案は、目録袋又はのし袋と、当該目録又はのし袋に封入される中紙からなり、前記中紙が、パルプを機械で漉いた和紙であり、疎水性基と親水性基を持ち疎水性基を外側に向けて紙に疎水性をもたせた耐水性向上剤により耐水性が向上されており、連量が５０〜７０ｋｇのプリンタ対応の印刷用紙であることからなる。また、前記中紙の連量が６０ｋｇであることが好適である。
【００１０】
本考案では、パルプを機械で漉いた和紙を使用する。しかし、通常の和紙と比べ、疎水性基と親水性基を持ち疎水性基を外側に向けて紙に疎水性をもたせた耐水性向上剤により耐水性をより高めて印字性を向上させ、さらに連量が５０〜７０ｋｇであることで、高い印字性を保ちつつも和紙の質感を維持することに成功したものである。５０ｋｇ以下では軽すぎて質感が少なく、７０ｋｇ以上では重すぎてプリンタ特性が弱まる。特に６０ｋｇではプリンタ特性と質感の両方の要請を満たすために好ましい。なお、連量とは、ある規定の寸法に仕上げられた紙１，０００枚のことを１連と呼び、その１連の紙の重量を意味する。さらに、本考案は目録の印刷だけでなく、各種のし袋に適用可能であり、図形等も含め様々な内容を印字して使用することが出来る。
【考案の効果】
【００１１】
本考案によれば、素材感も良く慶事に適しており、かつプリンタ印字に最適な中紙を備えた目録袋及びのし袋を提供することが可能である。
【図面の簡単な説明】
【００１２】
【図１】目録袋を示す図である。
【図２】印刷済みの中紙の一例を示す図である。
【考案を実施するための最良の形態】
【００１３】
本考案の実施の１例を図面に従って説明する。
図１は本考案の、目録袋１を示す図である。のし２及び水引３を備えており、上質な用紙が使用されている。本実施例ではのし２は印刷された簡易的なものであり、水引３は印刷ではないが樹脂製の簡易的なものである。内部に中紙を収納できるよう折りたたまれて構成されている。
【００１４】
図２は本考案の印刷済みの中紙の一例を示す図である。中紙４には目録の明細が印刷されている。中紙４は、白紙が好ましく、複数枚備えられていても良い。印字の記載内容はプリンタを使用するため、常用文字だけに限らず、図形なども自由に記載することが可能となる。疎水性基と親水性基を持ち疎水性基を外側に向けて紙に疎水性をもたせた耐水性向上剤により耐水性をより高められ、連量が６０ｋｇであることから、図に示すような好適な印字品質と、高級な素材感を両立させることが可能となっている。
【符号の説明】
【００１５】
１    目録袋
２    のし
３    水引
４    中紙
【図１】
0003212205.tif 000003
【図２】
0003212205.tif 000004